(57)【要約】【課題】ハブを介して複数の測定モジュールを１台以上の外部制御装置に接続できる一方で、ハブを介さずに各測定モジュールに１台ずつ外部制御装置を接続することも可能な測定装置、測定システム、及び測定方法を提供する。【解決手段】測定モジュール１０は、モジュール側端子部１５と外部制御装置１００との間がコネクタ接続された状態で、ハブ１３を介さずに外部制御装置１００に１対１で通信可能に接続され、モジュール側端子部１５と入力側端子部１６との間がコネクタ接続されるとともに、出力側端子部１７と外部制御装置１００との間がコネクタ接続された状態で、ハブ１３を介して外部制御装置１００に複数対１で通信可能に接続される。【選択図】図１
2015002367.tif 000002
【特許請求の範囲】
【請求項１】
外部制御装置（１００）の制御により、端末機器（３０）に対して測定を行う測定モジュール（１０）と、
前記測定モジュールを複数収容可能であり、前記各測定モジュールと前記外部制御装置が情報の授受を行うためのインタフェース部（１１）を有する筺体（１２）と、
前記筐体内に配置され、前記インタフェース部を介して前記外部制御装置と情報の授受を行うためのハブ（１３）とを備え、
前記インタフェース部は、
前記各測定モジュールに接続されるモジュール側端子部（１５）と、
前記ハブに接続され、前記モジュール側端子部にコネクタ接続可能な入力側端子部（１６）と、
前記ハブに接続され、前記外部制御装置をコネクタ接続可能な出力側端子部（１７）とを有し、
前記測定モジュールは、前記モジュール側端子部と前記外部制御装置との間がコネクタ接続された状態で、前記ハブを介さずに当該外部制御装置に１対１で通信可能に接続され、前記モジュール側端子部と前記入力側端子部との間がコネクタ接続されるとともに、前記出力側端子部と前記外部制御装置との間がコネクタ接続された状態で、前記ハブを介して当該外部制御装置に複数対１で通信可能に接続されることを特徴とする測定装置。
【請求項２】
前記モジュール側端子部及び前記入力側端子部はそれぞれ複数の端子（１５，１６）を有しており、
前記モジュール側端子部の前記端子の個数は、前記筐体が収容可能な前記測定モジュールの最大の個数に等しく、
前記入力側端子部の前記端子の個数は、前記筐体が収容可能な前記測定モジュールの最大の個数以上であることを特徴とする請求項１に記載の測定装置。
【請求項３】
外部制御装置（１００）の制御により、端末機器（３０）に対して測定を行う測定モジュール（１０）と、
前記測定モジュールを複数収容可能であり、前記各測定モジュールと前記外部制御装置が情報の授受を行うためのインタフェース部（３１）を有する筺体（１２）と、
前記筐体内に配置され、前記インタフェース部を介して前記外部制御装置と情報の授受を行うためのハブ（１３）とを備え、
前記インタフェース部は、
前記各測定モジュールに選択的に接続される共通端子部（３２）と、
前記ハブに接続され、前記外部制御装置をコネクタ接続可能な出力側端子部（１７）とを有し、
前記測定モジュールは、前記共通端子部と前記外部制御装置との間がコネクタ接続された状態で、前記ハブを介さずに当該外部制御装置に１対１で通信可能に接続され、前記出力側端子部と前記外部制御装置との間がコネクタ接続された状態で、前記ハブを介して当該外部制御装置に複数対１で通信可能に接続されることを特徴とする測定装置。
【請求項４】
前記各測定モジュールを前記共通端子部及び前記ハブのいずれかに選択的に接続する切替部（３３）をさらに備えることを特徴とする請求項３に記載の測定装置。
【請求項５】
前記共通端子部は複数の端子（３２）を有しており、当該端子の個数は、前記筐体が収容可能な前記測定モジュールの最大の個数に等しいことを特徴とする請求項３または請求項４に記載の測定装置。
【請求項６】
前記端末機器は、複数の通信規格に対応した複数のアンテナ部（３０−１ａ〜３０−Ｍａ，３０−１ｂ〜３０−Ｍｂ）を有する端末機器（３０，３０−１〜３０−Ｍ）であり、
前記測定モジュールは、
前記複数のアンテナ部を接続可能な複数の端子（２１−１ａ〜２１−Ｍａ，２１−１ｂ〜２１−Ｍｂ）を有する端末機器接続部（２１）と、
前記複数の通信規格に対応した試験信号を生成し、該試験信号を前記端末機器接続部に接続された前記端末機器に出力する信号生成部（２２）と、
前記試験信号が入力された前記端末機器からの応答信号、または、前記端末機器からの送信信号を解析する信号解析部（２３）と、
前記複数の通信規格のうちのいずれかに対応した前記試験信号を前記信号生成部に生成させるとともに、前記信号解析部に前記複数の通信規格のうちのいずれかに対応した解析処理を行わせる制御部（２５）とを備えることを特徴とする請求項１から請求項３のいずれか一項に記載の測定装置。
【請求項７】
請求項１から請求項６のいずれか一項に記載の測定装置（１，２）を複数備え、
１つの前記測定装置が備える前記測定モジュールは、当該１つの前記測定装置が備える前記モジュール側端子部または前記共通端子部と当該１つの測定装置以外の測定装置が備える前記入力側端子部との間がコネクタ接続されるとともに、当該１つの測定装置以外の測定装置が備える前記出力側端子部と前記外部制御装置との間がコネクタ接続された状態で、当該１つの測定装置以外の測定装置が備える前記ハブを介して当該外部制御装置に複数対１で通信可能に接続されることを特徴とする測定システム。
【請求項８】
外部制御装置（１００）の制御により、端末機器（３０）に対して測定を行う測定モジュール（１０）と、
前記測定モジュールを複数収容可能であり、前記各測定モジュールと前記外部制御装置が情報の授受を行うためのインタフェース部（１１）を有する筺体（１２）と、
前記筐体内に配置され、前記インタフェース部を介して前記外部制御装置と情報の授受を行うためのハブ（１３）とを備え、
前記インタフェース部は、
前記各測定モジュールに接続されるモジュール側端子部（１５）と、
前記ハブに接続され、前記モジュール側端子部にコネクタ接続可能な入力側端子部（１６）と、
前記ハブに接続され、前記外部制御装置をコネクタ接続可能な出力側端子部（１７）とを有する測定装置を用いた測定方法であって、
前記筐体に前記測定モジュールを収容するモジュール収容段階と、
前記モジュール側端子部と前記入力側端子部との間をコネクタ接続するとともに、前記出力側端子部と前記外部制御装置との間をコネクタ接続することにより、前記ハブを介して前記測定モジュールと当該外部制御装置を複数対１で通信可能に接続する第１の接続段階と、
前記モジュール側端子部と前記外部制御装置との間をコネクタ接続することにより、前記ハブを介さずに前記測定モジュールと当該外部制御装置を１対１で通信可能に接続する第２の接続段階との少なくともいずれか一方の接続段階を含むことを特徴とする測定方法。
【請求項９】
外部制御装置（１００）の制御により、端末機器（３０）に対して測定を行う測定モジュール（１０）と、
前記測定モジュールを複数収容可能であり、前記各測定モジュールと前記外部制御装置が情報の授受を行うためのインタフェース部（３１）を有する筺体（１２）と、
前記筐体内に配置され、前記インタフェース部を介して前記外部制御装置と情報の授受を行うためのハブ（１３）とを備え、
前記インタフェース部は、
前記各測定モジュールに選択的に接続される共通端子部（３２）と、
前記ハブに接続され、前記外部制御装置をコネクタ接続可能な出力側端子部（１７）とを有する測定装置を用いた測定方法であって、
前記筐体に前記測定モジュールを収容するモジュール収容段階と、
前記各測定モジュールを前記共通端子部及び前記ハブのいずれかに選択的に接続する切替段階と、
前記出力側端子部と前記外部制御装置との間をコネクタ接続することにより、前記切替段階で前記ハブと接続された前記測定モジュールと外部制御装置とを前記ハブを介して複数対１で通信可能に接続する第３の接続段階と、
前記切替段階で前記測定モジュールと接続された前記共通端子部と前記外部制御装置との間をコネクタ接続することにより、前記ハブを介さずに前記測定モジュールと当該外部制御装置を１対１で通信可能に接続する第４の接続段階との少なくともいずれか一方の接続段階を含むことを特徴とする測定方法。
【発明の詳細な説明】
【技術分野】
【０００１】
本発明は、携帯電話等の無線端末機器に対して測定を行う測定装置、測定システム、及び測定方法に関する。
【背景技術】
【０００２】
近年、マルチメディアの進展に伴い、セルラ、無線ＬＡＮ等の複数の無線通信用のアンテナが実装された無線端末機器（携帯電話等）が盛んに生産されるようになっている。
【０００３】
このような端末機器の製造工場においては、端末機器の各無線通信アンテナに対して、それぞれの通信規格ごとに定められた送信電波の出力レベルや受信感度を測定し、所定の基準を満たすか否かを判定する等の検査が、複数の測定モジュールを用いて行われる。
【０００４】
しかしながら、１日に何万台もの端末機器の検査が要求されうる現状においては、１台１台にかけられる検査時間は非常に限られており、短時間での効率的な測定が必要となっている。
【０００５】
そこで、ハブを介して複数の測定モジュールを１台以上の外部制御装置にイーサネット（登録商標）接続し、外部制御装置により複数の測定モジュールを制御する方法が知られている。
【０００６】
図８に示すように、特許文献１に開示された測定システムは、複数の測定制御装置４０と複数の分散型測定装置４１とをイーサネット（登録商標）用のケーブル４２を介してハブ４３に接続することにより、複数の測定制御装置４０と複数の分散型測定装置４１とを互いに接続する構成となっている。
【先行技術文献】
【特許文献】
【０００７】
【特許文献１】特開平１１−１２０４７７号公報
【発明の概要】
【発明が解決しようとする課題】
【０００８】
しかしながら、特許文献１に開示されたような従来の測定システムには、ハブが故障した場合に複数の測定モジュールが全て使用できなくなる虞があった。
【０００９】
本発明は、このような従来の課題を解決するためになされたものであって、ハブを介して複数の測定モジュールを１台以上の外部制御装置に接続できる一方で、ハブを介さずに各測定モジュールに１台ずつ外部制御装置を接続することも可能な測定装置、測定システム、及び測定方法を提供することを目的とする。
【課題を解決するための手段】
【００１０】
上記課題を解決するために、本発明の請求項１の測定装置は、外部制御装置の制御により、端末機器に対して測定を行う測定モジュールと、前記測定モジュールを複数収容可能であり、前記各測定モジュールと前記外部制御装置が情報の授受を行うためのインタフェース部を有する筺体と、前記筐体内に配置され、前記インタフェース部を介して前記外部制御装置と情報の授受を行うためのハブとを備え、前記インタフェース部は、前記各測定モジュールに接続されるモジュール側端子部と、前記ハブに接続され、前記モジュール側端子部にコネクタ接続可能な入力側端子部と、前記ハブに接続され、前記外部制御装置をコネクタ接続可能な出力側端子部とを有し、前記測定モジュールは、前記モジュール側端子部と前記外部制御装置との間がコネクタ接続された状態で、前記ハブを介さずに当該外部制御装置に１対１で通信可能に接続され、前記モジュール側端子部と前記入力側端子部との間がコネクタ接続されるとともに、前記出力側端子部と前記外部制御装置との間がコネクタ接続された状態で、前記ハブを介して当該外部制御装置に複数対１で通信可能に接続される構成を有している。
【００１１】
この構成により、ハブを介して複数の測定モジュールを１台以上の外部制御装置に接続できる一方で、ハブを介さずに各測定モジュールに１台ずつ外部制御装置を接続することも可能となる。
【００１２】
また、本発明の請求項２の測定装置は、前記モジュール側端子部及び前記入力側端子部はそれぞれ複数の端子を有しており、前記モジュール側端子部の前記端子の個数は、前記筐体が収容可能な前記測定モジュールの最大の個数に等しく、前記入力側端子部の前記端子の個数は、前記筐体が収容可能な前記測定モジュールの最大の個数以上である構成を有している。
【００１３】
この構成により、１つの測定装置に最大数の測定モジュールが設置され、それらの全てがハブを介して外部制御装置に接続されていても、他の測定装置の測定モジュールを当該１つの測定装置の入力側端子部に接続し、同一の外部制御装置で制御することが可能となる。
【００１４】
また、本発明の請求項３の測定装置は、外部制御装置の制御により、端末機器に対して測定を行う測定モジュールと、前記測定モジュールを複数収容可能であり、前記各測定モジュールと前記外部制御装置が情報の授受を行うためのインタフェース部を有する筺体と、前記筐体内に配置され、前記インタフェース部を介して前記外部制御装置と情報の授受を行うためのハブとを備え、前記インタフェース部は、前記各測定モジュールに選択的に接続される共通端子部と、前記ハブに接続され、前記外部制御装置をコネクタ接続可能な出力側端子部とを有し、前記測定モジュールは、前記共通端子部と前記外部制御装置との間がコネクタ接続された状態で、前記ハブを介さずに当該外部制御装置に１対１で通信可能に接続され、前記出力側端子部と前記外部制御装置との間がコネクタ接続された状態で、前記ハブを介して当該外部制御装置に複数対１で通信可能に接続される構成を有している。
【００１５】
この構成により、各測定モジュールが共通端子部及びハブのいずれかに選択的に接続されることにより、ハブを介して複数の測定モジュールを１台以上の外部制御装置に接続できる一方で、ハブを介さずに各測定モジュールに１台ずつ外部制御装置を接続することも可能となる。
【００１６】
また、本発明の請求項４の測定装置は、前記各測定モジュールを前記共通端子部及び前記ハブのいずれかに選択的に接続する切替部をさらに備える構成を有している。
【００１７】
この構成により、各測定モジュールが共通端子部及びハブのいずれかに選択的に接続されることにより、ハブを介して複数の測定モジュールを１台以上の外部制御装置に接続できる一方で、ハブを介さずに各測定モジュールに１台ずつ外部制御装置を接続することも可能となる。
【００１８】
また、本発明の請求項５の測定装置は、前記共通端子部は複数の端子を有しており、当該端子の個数は、前記筐体が収容可能な前記測定モジュールの最大の個数に等しい構成を有していても良い。
【００１９】
また、本発明の請求項６の測定装置は、前記端末機器は、複数の通信規格に対応した複数のアンテナ部を有する端末機器であり、前記測定モジュールは、前記複数のアンテナ部を接続可能な複数の端子を有する端末機器接続部と、前記複数の通信規格に対応した試験信号を生成し、該試験信号を前記端末機器接続部に接続された前記端末機器に出力する信号生成部と、前記試験信号が入力された前記端末機器からの応答信号、または、前記端末機器からの送信信号を解析する信号解析部と、前記複数の通信規格のうちのいずれかに対応した前記試験信号を前記信号生成部に生成させるとともに、前記信号解析部に前記複数の通信規格のうちのいずれかに対応した解析処理を行わせる制御部とを備える構成を有している。
【００２０】
この構成により、ソフトウエア的に測定機能を変更することが可能な測定モジュールを、測定内容に応じて任意の数だけ筺体内に配置することが可能となる。
【００２１】
また、本発明の請求項７の測定システムは、上記のいずれかの測定装置を複数備え、１つの前記測定装置が備える前記測定モジュールは、当該１つの前記測定装置が備える前記モジュール側端子部または前記共通端子部と当該１つの測定装置以外の測定装置が備える前記入力側端子部との間がコネクタ接続されるとともに、当該１つの測定装置以外の測定装置が備える前記出力側端子部と前記外部制御装置との間がコネクタ接続された状態で、当該１つの測定装置以外の測定装置が備える前記ハブを介して当該外部制御装置に複数対１で通信可能に接続される構成を有している。
【００２２】
この構成により、測定装置を複数備える測定システムにおいて、１つの測定装置のモジュール側端子部または前記共通端子部と他の測定装置の入力側端子部とがコネクタ接続されることにより、１つの測定装置の測定モジュールを他の測定装置のハブを介して外部制御装置と接続することが可能となる。これにより、１つの測定装置のハブが故障している場合には、他の測定装置のハブを利用することが可能となる。
【００２３】
また、本発明の請求項８の測定方法は、外部制御装置の制御により、端末機器に対して測定を行う測定モジュールと、前記測定モジュールを複数収容可能であり、前記各測定モジュールと前記外部制御装置が情報の授受を行うためのインタフェース部を有する筺体と、前記筐体内に配置され、前記インタフェース部を介して前記外部制御装置と情報の授受を行うためのハブとを備え、前記インタフェース部は、前記各測定モジュールに接続されるモジュール側端子部と、前記ハブに接続され、前記モジュール側端子部にコネクタ接続可能な入力側端子部と、前記ハブに接続され、前記外部制御装置をコネクタ接続可能な出力側端子部とを有する測定装置を用いた測定方法であって、前記筐体に前記測定モジュールを収容するモジュール収容段階と、前記モジュール側端子部と前記入力側端子部との間をコネクタ接続するとともに、前記出力側端子部と前記外部制御装置との間をコネクタ接続することにより、前記ハブを介して前記測定モジュールと当該外部制御装置を複数対１で通信可能に接続する第１の接続段階と、前記モジュール側端子部と前記外部制御装置との間をコネクタ接続することにより、前記ハブを介さずに前記測定モジュールと当該外部制御装置を１対１で通信可能に接続する第２の接続段階との少なくともいずれか一方の接続段階を含む。
【００２４】
この構成により、第１の接続段階でハブを介して複数の測定モジュールを１台以上の外部制御装置に接続できる一方で、第２の接続段階でハブを介さずに各測定モジュールに１台ずつ外部制御装置を接続することが可能となる。
【００２５】
また、本発明の請求項９の測定方法は、外部制御装置の制御により、端末機器に対して測定を行う測定モジュールと、前記測定モジュールを複数収容可能であり、前記各測定モジュールと前記外部制御装置が情報の授受を行うためのインタフェース部を有する筺体と、前記筐体内に配置され、前記インタフェース部を介して前記外部制御装置と情報の授受を行うためのハブとを備え、前記インタフェース部は、前記各測定モジュールに選択的に接続される共通端子部と、前記ハブに接続され、前記外部制御装置をコネクタ接続可能な出力側端子部とを有する測定装置を用いた測定方法であって、前記筐体に前記測定モジュールを収容するモジュール収容段階と、前記各測定モジュールを前記共通端子部及び前記ハブのいずれかに選択的に接続する切替段階と、前記出力側端子部と前記外部制御装置との間をコネクタ接続することにより、前記切替段階で前記ハブと接続された前記測定モジュールと外部制御装置とを前記ハブを介して複数対１で通信可能に接続する第３の接続段階と、前記切替段階で前記測定モジュールと接続された前記共通端子部と前記外部制御装置との間をコネクタ接続することにより、前記ハブを介さずに前記測定モジュールと当該外部制御装置を１対１で通信可能に接続する第４の接続段階との少なくともいずれか一方の接続段階を含む。
【００２６】
この構成により、第３の接続段階でハブを介して複数の測定モジュールを１台以上の外部制御装置に接続できる一方で、第４の接続段階でハブを介さずに各測定モジュールに１台ずつ外部制御装置を接続することが可能となる。
【発明の効果】
【００２７】
本発明は、ハブを介して複数の測定モジュールを１台以上の外部制御装置に接続できる一方で、ハブを介さずに各測定モジュールに１台ずつ外部制御装置を接続することも可能な測定装置、測定システム、及び測定方法を提供するものである。
【図面の簡単な説明】
【００２８】
【図１】本発明の第１の実施形態としての測定装置の構成を示すブロック図である。
【図２】本発明の第１の実施形態としての測定装置の斜視図である。
【図３】本発明の第１の実施形態としての測定装置の背面図である。
【図４】本発明の第１の実施形態としての測定装置が備える測定モジュールの詳細な構成を示すブロック図である。
【図５】本発明の第２の実施形態としての測定装置の構成を示すブロック図である。
【図６】本発明の第３の実施形態としての測定システムの構成を示すブロック図（その１）である。
【図７】本発明の第３の実施形態としての測定システムの構成を示すブロック図（その２）である。
【図８】従来の測定システムの構成を示すブロック図である。
【発明を実施するための形態】
【００２９】
以下、本発明に係る測定装置、測定システム、及び測定方法の実施形態について図面を用いて説明する。本実施形態の測定装置及び測定方法は、例えば、複数の通信規格に対応した複数のアンテナ部を有する端末機器に対して、送信電波の出力レベルや受信感度などに関する測定を行うものである。
【００３０】
（第１の実施形態）
まず、本発明の第１の実施形態としての測定装置１の構成について説明する。
【００３１】
図１及び図２に示すように、本実施形態の測定装置１は、外部制御装置１００（１００ａ，１００ｂ，１００ｃ，１００ｄ）の制御により、測定対象に対して各種の測定を行う測定モジュール１０（１０−１〜１０−４）と、測定モジュール１０を複数収容可能であり、各測定モジュール１０と外部制御装置１００が情報の授受を行うためのインタフェース部１１を有する筺体としてのシャーシ１２と、シャーシ１２内に配置され、インタフェース部１１を介して外部制御装置１００と情報の授受を行うためのハブ１３とを備える。
【００３２】
シャーシ１２は、測定モジュール１０を複数収容できるスロット１４を有している。
【００３３】
外部制御装置１００は、例えばパーソナルコンピュータにより構成され、制御対象の測定モジュール１０にＩＰアドレスを割り当てて、当該測定モジュール１０に対して各種制御を行うようになっている。外部制御装置１００には、操作者が各種指示を操作入力する操作部１１０や、解析結果を表示する表示部１２０が接続されている。操作部１１０から出力される各種指示は、インタフェース部１１を介して測定モジュール１０に入力されるようになっている。
【００３４】
図１，２に示すように、インタフェース部１１は、スロット１４に挿入された測定モジュール１０に接続されるモジュール側端子部としての端子１５（１５−１〜１５−４）と、端子１５にコネクタ接続可能な入力側端子部としての端子１６（１６−１〜１６−４）と、外部制御装置１００をコネクタ接続可能な出力側端子部としての端子１７（１７ａ，１７ｂ）とを有する。
【００３５】
図１に示した例では、モジュール側端子部の端子１５の個数、及び、入力側端子部の端子１６の個数は、シャーシ１２が収容可能な測定モジュール１０の最大の個数に等しくなっている。なお、入力側端子部の端子１６の個数はシャーシ１２が収容可能な測定モジュール１０の最大の個数以上であっても良い。
【００３６】
ハブ１３は、例えばスイッチングハブであり、端子１６及び端子１７に常に接続されている。
【００３７】
測定モジュール１０は、スロット１４に挿入された後に、ネジ１４ａ及びネジ穴１４ｂによりネジ止めされて固定されるようになっている。
【００３８】
図３は、図２に示した測定装置１の背面パネルの一部を示している。図３に示すように、端子１５，１６，１７は例えばイーサネット（登録商標）用のコネクタである。また、インタフェース部１１は、外部制御装置１００と測定モジュール１０とを通信可能に接続するための端子として、例えばＵＳＢコネクタや、測定機器で汎用的に用いられているＧＰＩＢ用のコネクタを有していても良い。なお、以下では、全ての端子１５〜１７がイーサネット（登録商標）用のコネクタであるものとして説明する。
【００３９】
図１に示すように、測定モジュール１０は、端子１５と外部制御装置１００との間が、イーサネット（登録商標）用のケーブル１８によりコネクタ接続された状態で、ハブ１３を介さずに外部制御装置１００に１対１で通信可能に接続されるようになっている。
【００４０】
また、測定モジュール１０は、端子１５と対応する入力側端子部１６との間がそれぞれケーブル１８によりコネクタ接続された状態で、ハブ１３を介して外部制御装置１００に複数対１で通信可能に接続されるようになっている。
【００４１】
なお、端子１５と端子１６とは、端子１５−１と端子１６−１、端子１５−２と端子１６−２、端子１５−３と端子１６−３、端子１５−４と端子１６−４の組み合わせで、ケーブル１８によりコネクタ接続可能となっている。
【００４２】
なお、図１に示した構成はあくまで一例であり、例えば端子１５の全てに外部制御装置１００が接続されていても良く、あるいは、端子１５と端子１６が互いに全てケーブル１８で接続され、複数の外部制御装置１００ｂ，１００ｃ，１００ｄが外部のハブ１９を介して接続されていても良い。
【００４３】
また、図１，２は、シャーシ１２がスロット１４を４つ有する構成を図示しているが、シャーシ１２のスロット数はこれに限定されるものではなく、５以上であっても良いし、３以下であっても良い。端子１５，１６の個数についても同様である。
【００４４】
また、スロット１４に挿入される測定モジュール１０の個数は、スロット数と等しくなくても良く、スロット数未満であっても良い。また、表示部１２０は、各測定モジュール１０がハブ１３を介して外部制御装置１００に接続されるようになっているか否かを表示するようになっていることが好ましい。
【００４５】
上記のように構成された本実施形態の測定装置１において、１つの外部制御装置１００により１つの測定モジュール１０が制御される場合には、異なる測定モジュール間の接続がないため、複数の測定モジュール１０に同一のＩＰアドレスが割り振られたとしても競合が起こることはない。
【００４６】
このため、各測定モジュール１０に対して１つの外部制御装置１００が割り当てられる場合には、全ての測定モジュール１０のＩＰアドレスを同一とすることにより、１つの外部制御装置１００で用いられる制御プログラムを、変更することなく他の外部制御装置１００でも用いることができる。
【００４７】
なお、ケーブル１８と端子１５，１６との対応関係を操作者が間違えないように、端子１５，１６の周辺部とケーブル１８は適宜色分けされていることが好ましい。あるいは、複数のケーブル１８が端子１５用と端子１６用とでそれぞれ束ねられていることが好ましい。
【００４８】
図４は、測定モジュール１０の詳細な構成を示すブロック図である。なお、説明を簡略化するために、図４に示した例では、測定対象としての端末機器３０（３０−１〜３０−Ｍ：Ｍは自然数）が２つのアンテナ部を有するとしているが、アンテナ部の個数はこれに限定されるものではない。
【００４９】
測定モジュール１０は、端末機器接続部２１、信号生成部２２、信号解析部２３、切替部２４、制御部２５、及びシャーシ接続部（筺体接続部）２６を有し、シャーシ接続部２６を介してシャーシ１２と着脱可能に構成されている。なお、測定モジュール１０は、シャーシ接続部２６を介してインタフェース部１１から電力が供給されるようになっている。
【００５０】
測定対象の端末機器３０の各アンテナ部３０−１ａ〜３０−Ｍａ，３０−１ｂ〜３０−Ｍｂは、例えば無線通信アンテナとＲＦ回路を有している。ここで、端末機器３０の複数の通信規格としては、セルラ（ＬＴＥ、Ｗ−ＣＤＭＡ、ＧＳＭ（登録商標）、ＣＤＭＡ２０００、１ｘＥＶ−ＤＯ、ＴＤ−ＳＣＤＭＡ等）、ＷＬＡＮ（ＩＥＥＥ８０２．１１ａ／ｂ／ｇ／ｎ等）、Ｂｌｕｅｔｏｏｔｈ（登録商標）、ＧＮＳＳ（ＧＰＳ、Ｇａｌｉｌｅｏ、ＧＬＯＮＡＳＳ、Ｃｏｍｐａｓｓ等）、ＦＭラジオ放送、及びテレビ放送（ＤＶＢ−Ｈ、ＤＭＢ、ワンセグ等）が挙げられる。
【００５１】
端末機器接続部２１は、端末機器３０の複数のアンテナ部３０−１ａ〜３０−Ｍａ，３０−１ｂ〜３０−Ｍｂと、測定モジュール１０とを電気的に接続するための複数の端子２１−１ａ〜２１−Ｍａ，２１−１ｂ〜２１−Ｍｂを有する。
【００５２】
より具体的には、端子２１−１ａ〜２１−Ｍａ，２１−１ｂ〜２１−Ｍｂは、全二重通信（または半二重通信）を行うアンテナ部と接続可能な全二重通信用端子と、半二重通信を行うアンテナ部と接続可能な半二重通信用端子を含む。
【００５３】
信号生成部２２は、ベースバンド信号生成部２２ａ、及びＲＦ変調部２２ｂを有する。ベースバンド信号生成部２２ａは、所定のクロックを基に、Ｉ成分ベースバンド信号と、該Ｉ成分ベースバンド信号と位相がπ／２ずれた直交成分信号であるＱ成分ベースバンド信号を生成するようになっている。
【００５４】
これらのベースバンド信号には、端末機器３０に対して測定モジュール１０が擬似基地局として働くために必要な制御情報が含まれている。制御情報は、例えば、端末機器３０と擬似基地局でやり取りする位置登録、着呼、切断、その他の試験に必要な指示を含む。
【００５５】
ＲＦ変調部２２ｂは、ベースバンド信号生成部２２ａから受けたベースバンド信号を、各通信規格の周波数に対応したローカル信号と混合することで、各通信規格の周波数に対応した試験信号を生成し、生成した試験信号を端末機器接続部２１に接続された端末機器３０に向けて出力するようになっている。
【００５６】
信号解析部２３は、ＲＦ変調部２２ｂからのローカル信号を受けて、端末機器３０からの応答信号または送信信号（以下、端末送信信号と記す）を直交復調してＩ成分ベースバンド信号及びＱ成分ベースバンド信号に変換した後、それらのベースバンド信号を復号して、測定のための解析を行うようになっている。例えば、信号解析部２３は、変調精度測定、隣接チャネル漏洩電力測定、及び電力測定などが行えるものであると良い。
【００５７】
即ち、信号解析部２３は、上記試験信号に対する端末機器３０からの応答信号、または、端末機器３０からの端末送信信号を受信し、この応答信号または端末送信信号を用いて端末機器３０の通信機能に関する上述の測定を行うようになっている。
【００５８】
切替部２４は、端末機器接続部２１を介して、複数の端末機器３０のアンテナ部３０−１ａ〜３０−Ｍａ，３０−１ｂ〜３０−Ｍｂを信号生成部２２及び信号解析部２３に選択的に接続するか、あるいは、信号生成部２２及び信号解析部２３のいずれか一方に選択的に接続するようになっている。
【００５９】
制御部２５は、信号生成部２２、信号解析部２３、及び切替部２４に複数の通信規格のうちのいずれかに対応した処理を行わせるようになっている。具体的には、制御部２５は、複数の通信規格のうちのいずれかに対応した試験信号を信号生成部２２に生成させるとともに、信号解析部２３に複数の通信規格のうちのいずれかに対応した解析処理を行わせるようになっている。なお、制御部２５には、外部制御装置１００がインタフェース部１１及びシャーシ接続部２６を介して接続可能となっている。
【００６０】
また、制御部２５は、端末機器３０の通信規格に対応した、信号生成部２２、信号解析部２３、及び切替部２４に対する制御を行うためのプログラムを予めメモリ２５ａに記憶している。なお、制御部２５は、新たなプログラム、あるいはバージョンを変更したプログラムを外部から受けて、メモリ２５ａへの追加または更新を行うこともできるようになっている。
【００６１】
さらに、メモリ２５ａには、測定モジュール１０内部の配線の損失の補正値が予め記憶されており、信号解析部２３が当該補正値を用いて解析結果を補正することができるようになっている。
【００６２】
また、測定モジュール１０は、信号生成部２２からの試験信号に対する端末機器３０の受信機能を測定する図示しない受信信号解析部を備えていても良い。さらに、測定モジュール１０は、測定値が所定の基準を満たしているか否かを判定する図示しない判定部を備えていても良い。この判定は、例えば、予め定められた閾値と測定値との大小関係を評価すること、あるいは、アンテナ部３０−ｍａとアンテナ部３０−ｍｂ（ｍ＝１，・・・，Ｍ）の出力レベルや受信感度の差を評価することにより行われる。
【００６３】
以下、本実施形態の測定装置１を用いた端末機器３０の測定方法について説明する。
まず、操作者により、シャーシ１２のスロット１４に測定モジュール１０が収容されることにより、インタフェース部１１に測定モジュール１０のシャーシ接続部２６が接続される（モジュール収容段階）。
【００６４】
次に、操作者により、外部制御装置１００と測定モジュール１０とがケーブル１８により接続される（接続段階）。
【００６５】
例えば、図１のように外部制御装置１００ａで測定モジュール１０−１を制御し、外部制御装置１００ｂで測定モジュール１０−２〜１０−４を制御する構成においては、モジュール側端子部の端子１５−１を介して測定モジュール１０−１と外部制御装置１００ａがコネクタ接続される。
【００６６】
さらに、モジュール側端子部の端子１５−２〜１５−４がそれぞれ入力側端子部の端子１６−２〜１６−４にコネクタ接続されるとともに、出力側端子部の端子１７ａ（あるいは１７ｂ）が外部のハブ１９を介して外部制御装置１００ｂにコネクタ接続される。
【００６７】
次に、各外部制御装置１００により、測定モジュール１０にＩＰアドレスが割り当てられる。図１に示した例では、１つの外部制御装置１００ｂが複数の測定モジュール１０−２〜１０−４を制御するため、複数の測定モジュール１０−２〜１０−４に異なるＩＰアドレスが割り当てられる必要がある。
【００６８】
図１の構成では、例えば、外部制御装置１００ａにより測定モジュール１０−１にＩＰアドレスとして"１９２．１６８．１．１"が割り当てられ、外部制御装置１００ｂにより測定モジュール１０−２〜１０−４にＩＰアドレスとして"１９２．１６８．１．２"，"１９２．１６８．１．３"，及び"１９２．１６８．１．４"がそれぞれ割り当てられる。なお、測定モジュール１０−１のＩＰアドレスは、測定モジュール１０−２〜１０−４のＩＰアドレスのいずれかと同一であっても制御上問題はない。
【００６９】
そして、以下に述べるように、各測定モジュール１０により端末機器３０に対する測定が行われる。ここでは、１つの測定装置１が、複数の端末機器３０に対して、異なる通信規格（例えば、セルラ、ＷＬＡＮ、ＧＮＳＳ、及びＦＭラジオ放送）に関する検査を行う場合を例に挙げて説明する。なお、操作者は、外部制御装置１００の操作部１１０を用いて、複数の通信規格の中から検査対象とする通信規格を選択できるようになっている。
【００７０】
まず、測定装置１が備える各測定モジュール１０の制御部２５は、対応する外部制御装置１００から検査の対象とする通信規格（セルラ、ＷＬＡＮ、ＧＮＳＳ、及びＦＭラジオ放送）を指示する指示信号が送信されたことを確認し、各測定モジュール１０−１〜１０−４の測定機能をそれぞれセルラ、ＷＬＡＮ、ＧＮＳＳ、及びＦＭラジオ放送に対応したものに設定する。
【００７１】
そして、操作者により、複数の端末機器３０が、測定装置１の各測定モジュール１０の各端子２１−１ａ〜２１−Ｍａ，２１−１ｂ〜２１−Ｍｂに接続される。
【００７２】
測定モジュール１０の制御部２５は、信号生成部２２及び切替部２４に指示信号を送出して、測定モジュール１０の各端子に接続された端末機器３０のアンテナ部に向けて、それぞれセルラ、ＷＬＡＮ、ＧＮＳＳ、及びＦＭラジオ放送に対応した試験信号を出力する。
【００７３】
次に、制御部２５は、信号解析部２３及び切替部２４に指示信号を送出して、上記試験信号に対する各端末機器３０のアンテナ部からの応答信号または端末送信信号を解析し、その解析結果をメモリ２５ａに記憶する。このとき制御部２５は、予めメモリ２５ａに記憶されている内部配線の損失の補正値を信号解析部２３に通知しているものとする。
【００７４】
測定が終了した端末機器３０は、操作者により、測定モジュール１０の各端子２１−１ａ〜２１−Ｍａ，２１−１ｂ〜２１−Ｍｂから順次取り外される。端末機器３０が取り外された端子には、操作者により新たな端末機器が順次取り付けられると良い。
【００７５】
以上説明したように、本実施形態によれば、ハブ１３を介して複数の測定モジュール１０を１台以上の外部制御装置１００に接続できる一方で、ハブ１３を介さずに各測定モジュール１０に１台ずつ外部制御装置１００を接続することも可能となる。
【００７６】
また、本実施形態によれば、１台の外部制御装置１００で複数の測定モジュール１０を制御する場合には、それぞれ個別の識別番号（ＩＰアドレス）を与えられた複数の測定モジュール１０がハブ１３を介して１本のケーブル１８で外部制御装置１００側に接続されるため、ケーブルの配線が単純となる。
【００７７】
また、本実施形態によれば、外部制御装置１００と測定モジュール１０との接続方法を自由に変更することが可能となる。特に、ハブ１３が故障した場合は、各測定モジュール１０に１台ずつ外部制御装置１００を接続することで、複数の測定モジュールが全て使用できなくなるという事態を回避することが可能となる。
【００７８】
また、本実施形態によれば、入力側端子部の端子１６の個数がシャーシ１２が収容可能な測定モジュール１０の最大の個数以上である場合には、１つの測定装置に最大数の測定モジュール１０が設置され、それらの全てがハブ１３を介して外部制御装置１００に接続されていても、他の測定装置の測定モジュールを当該１つの測定装置の入力側端子部に接続し、同一の外部制御装置１００で制御することが可能となる。
【００７９】
また、本実施形態によれば、ソフトウエア的に測定機能を変更することが可能な測定モジュール１０を、測定内容に応じて任意の数だけシャーシ１２内に配置することができるため、端末機器３０の製造ラインの形態に応じた測定装置を構築することが可能となる。
【００８０】
また、本実施形態によれば、インタフェース部１１を介して外部制御装置１００の表示部１２０を接続可能な構成となっているため、複数の測定モジュール１０から出力される解析結果を１つのモニタにまとめて表示することができ、装置の配置エリアの省スペース化や装置の低コスト化を実現することが可能となる。
【００８１】
（第２の実施形態）
続いて、本発明の第２の実施形態としての測定装置２について図面を参照しながら説明する。なお、第１の実施形態と同様の構成及び動作については適宜説明を省略する。
【００８２】
図５に示すように、本実施形態の測定装置２におけるインタフェース部３１は、スロット１４に挿入された測定モジュール１０に選択的に接続される共通端子部としての端子３２（３２−１〜３２−４）と、外部制御装置１００をコネクタ接続可能な出力側端子部としての端子１７（１７ａ，１７ｂ）とを有する。
【００８３】
図５に示した例では、共通端子部の端子３２の個数は、シャーシ１２が収容可能な測定モジュール１０の最大の個数に等しくなっている。
【００８４】
また、本実施形態の測定装置２は、測定モジュール１０を端子３２及びハブ１３のいずれかに選択的に接続する切替部としての切替スイッチ３３（３３−１〜３３−４）を備えている。ハブ１３は、測定モジュール１０に選択的に接続されるとともに、端子１７に常に接続されている。
【００８５】
図５に示すように、測定モジュール１０は、切替スイッチ３３により端子３２に選択的に接続されるとともに、端子３２と外部制御装置１００との間がケーブル１８によりコネクタ接続された状態で、ハブ１３を介さずに外部制御装置１００に１対１で通信可能に接続されるようになっている。
【００８６】
また、測定モジュール１０は、切替スイッチ３３によりハブ１３に選択的に接続されるとともに、端子１７と外部制御装置１００との間がケーブル１８によりコネクタ接続された状態で、ハブ１３を介して外部制御装置１００に複数対１で通信可能に接続するようになっている。
【００８７】
言い換えれば、端子１７と外部制御装置１００との間がケーブル１８によりコネクタ接続されることにより、ハブ１３に選択的に接続された測定モジュール１０が、外部制御装置１００と通信可能に接続される。
【００８８】
ここで、各切替スイッチ３３の方向は、例えばハブ１３を介してコネクタ接続された外部制御装置１００によって一括して制御されても良く、あるいは、ハブ１３を介さずに端子３２にコネクタ接続された各外部制御装置１００により個別に制御されても良い。
【００８９】
なお、図５に示した構成はあくまで一例であり、例えば端子３２の全てに外部制御装置１００が接続されていても良い。あるいは、切替スイッチ３３により全ての測定モジュール１０がハブ１３に選択的に接続され、１台以上の外部制御装置１００が外部のハブ１９を介して接続されていても良い。
【００９０】
また、ハブ１３に接続された外部制御装置１００の表示部１２０は、切替スイッチ３３の方向、即ち各測定モジュール１０がハブ１３を介して外部制御装置１００に接続されるようになっているか否かを表示するようになっていることが好ましい。
【００９１】
次に、本実施形態の測定装置２を用いた端末機器３０の測定方法について説明する。
まず、操作者により、シャーシ１２のスロット１４に測定モジュール１０が収容されることにより、切替スイッチ３３に測定モジュール１０のシャーシ接続部２６が接続される（モジュール収容段階）。
【００９２】
次に、外部制御装置１００により、切替スイッチ３３の方向が制御される（切替段階）。図５に示した例では、切替スイッチ３３−１が測定モジュール１０−１を端子３２−１に接続し、切替スイッチ３３−２〜３３−４が測定モジュール１０−２〜１０−４をハブ１３に接続するようになっている。
【００９３】
次に、操作者により、外部制御装置１００と測定モジュール１０とがケーブル１８により接続される（接続段階）。
【００９４】
例えば、図５のように外部制御装置１００ａで測定モジュール１０−１を制御し、外部制御装置１００ｂで測定モジュール１０−２〜１０−４を制御する構成においては、共通端子部の端子３２−１を介して測定モジュール１０−１と外部制御装置１００ａがコネクタ接続される。さらに、端子３２−２〜３２−４がハブ１３と外部のハブ１９を介して外部制御装置１００ｂにコネクタ接続される。
【００９５】
次に、外部制御装置１００により、測定モジュール１０にＩＰアドレスが割り当てられる。そして、第１の実施形態で述べたように、各測定モジュール１０により端末機器３０に対する測定が行われる。
【００９６】
以上説明したように、本実施形態によれば、各測定モジュール１０が共通端子部としての端子３２及びハブ１３のいずれかに選択的に接続されることにより、ハブ１３を介して複数の測定モジュール１０を１台以上の外部制御装置１００に接続できる一方で、ハブ１３を介さずに各測定モジュール１０に１台ずつ外部制御装置１００を接続することも可能となる。
【００９７】
また、本実施形態によれば、第１の実施形態と比較して、操作者によるケーブル接続の手間を減らすことができる。
【００９８】
（第３の実施形態）
続いて、本発明の第３の実施形態としての測定システム３について図面を参照しながら説明する。なお、第１及び第２の実施形態と同様の構成及び動作については適宜説明を省略する。
【００９９】
図６に示すように、本実施形態の測定システム３は、２つ以上の測定装置１（１ａ，１ｂ）を備える。例えば、測定装置１ａのモジュール側端子部としての端子１５−１ａが、測定装置１ｂの入力側端子部としての端子１６−１ｂにケーブル１８を介してコネクタ接続される。また、測定装置１ｂのモジュール側端子部としての端子１５−２ｂが入力側端子部としての端子１６−２ｂにケーブル１８を介してコネクタ接続される。さらに、測定装置１ｂの出力側端子部としての端子１７ａが外部制御装置１００にケーブル１８を介してコネクタ接続される。
【０１００】
つまり、図６に示した構成の測定システム３においては、測定装置１ａの測定モジュール１０−１ａと、測定装置１ｂの測定モジュール１０−２ｂとが、測定装置１ｂのハブ１３を介して外部制御装置１００に複数対１で通信可能に接続されることとなる。
【０１０１】
なお、図６では複数の測定装置１ａ，１ｂがいずれも第１の実施形態の測定装置１である場合を例に挙げたが、複数の測定装置の少なくとも１つが第２の実施形態の測定装置２であっても良い。
【０１０２】
この場合には、例えば図７に測定システム３'として示すように、測定装置２の切替スイッチ３３−１により測定モジュール１０−１が共通端子部としての端子３２−１に接続され、端子３２−１と測定装置１ｂの入力側端子部としての端子１６−１ｂがケーブル１８を介してコネクタ接続される。
【０１０３】
これにより、測定装置２の測定モジュール１０−１と、測定装置１ｂの測定モジュール１０−２ｂとが、測定装置１ｂのハブ１３を介して外部制御装置１００に複数対１で通信可能に接続されることとなる。
【０１０４】
以上説明したように、本実施形態によれば、測定装置を複数備える測定システムにおいて、１つの測定装置の入力側端子部と、他の測定装置のモジュール側端子部または前記共通端子部とがコネクタ接続されることにより、異なる測定装置間で１つの測定装置のハブ１３を介して外部制御装置１００と接続することが可能となる。もちろん、ハブ１３を介さずに測定装置ごとに外部制御装置１００を接続することも可能である。
【０１０５】
これにより、端末機器３０の製造ラインの形態に応じた測定システムを構築することが可能となる。
【符号の説明】
【０１０６】
１，１ａ，１ｂ，２  測定装置
３，３'  測定システム
１０，１０−１〜１０−４  測定モジュール
１１，３１  インタフェース部
１２  シャーシ（筐体）
１３，１９  ハブ
１４  スロット
１４ａ  ネジ
１４ｂ  ネジ穴
１５，１５−１〜１５−４  端子（モジュール側端子部）
１６，１６−１〜１６−４  端子（入力側端子部）
１７，１７ａ，１７ｂ  端子（出力側端子部）
１８  ケーブル
２１  端末機器接続部
２１−１ａ〜２１−Ｍａ，２１−１ｂ〜２１−Ｍｂ  端子
２２  信号生成部
２２ａ  ベースバンド信号生成部
２２ｂ  ＲＦ変調部
２３  信号解析部
２４  切替部
２５  制御部
２５ａ  メモリ
２６  シャーシ接続部
３０，３０−１〜３０−Ｍ  端末機器
３０−１ａ〜３０−Ｍａ，３０−１ｂ〜３０−Ｍｂ  アンテナ部
３２，３２−１〜３２−４  端子（共通端子部）
３３，３３−１〜３３−４  切替スイッチ（切替部）
１００，１００ａ，１００ｂ，１００ｃ，１００ｄ  外部制御装置
１１０  操作部
１２０  表示部
【図１】
2015002367.tif 000003
【図２】
2015002367.tif 000004
【図３】
2015002367.tif 000005
【図４】
2015002367.tif 000006
【図５】
2015002367.tif 000007
【図６】
2015002367.tif 000008
【図７】
2015002367.tif 000009
【図８】
2015002367.tif 000010